Podtech/llm-jp-corpus-v4-ja_patent huggingface dataset:
(57)【要約】【課題】畳を用いた猫用爪とぎを提供する。【解決手段】縮少した畳の表裏両面に畳表および畳縁を施し両面使用可能にしたことを特徴とする猫用爪とぎである。【選択図】図１
2011097916.tif 000002
【特許請求の範囲】
【請求項１】
縮少した畳の表裏両面に畳表および畳縁を施し両面使用可能にしたことを特徴とする猫用爪とぎ
【発明の詳細な説明】
【技術分野】
【００１】  本発明は畳を用いた猫用爪とぎに関するものである。
【背景技術】
【００２】  従来ダンボール製、麻製、木製、じゅうたん製の猫用爪とぎがあった。
【発明の開示】
【発明が解決しようとする課題】
【００３】  そのために次のような問題点があった。
（イ）我が家の猫はそれらすべての爪とぎを全く使用しなかった。
（ロ）そのために和室の畳で爪をとぎ困っていた。
本発明はこれらの問題点を解決するためのものである。
【課題を解決するための手段】
【００４】  縮少した畳の表裏両面に畳表および畳縁を施し両面使用可能にした。以上を特徴とする猫用爪とぎである。
【発明の効果】
【００５】  本発明を使用することにより猫も飼主もストレスのない生活をおくることが出来る。
【発明を実施するための最良の形能】
【００６】  以下本発明の実施の形能について説明する。
（イ）コンパクトかつ猫の使用しやすいように縦：横を４：１程度の割合にする。
（ロ）長さは４５ｃｍ〜５０ｃｍ程度にする。
（ハ）表裏両面に畳み表および畳縁を施し、両面使用可能にする。
【図面の簡単な説明】
【００７】
【図１】本発明の斜視図
【符号の説明】
【００８】１  たたみ表
２  畳縁
【図１】
2011097916.tif 000003
(57)【要約】【課題】放熱器がモータ制御装置製品の外部に露出している構造で、動作中や電源遮断直後など発熱により高温になっている状態で作業者が触れても、火傷を負う危険性を低減できるモータ制御装置を提供する。【解決手段】発熱部品取付部にパワー素子などの発熱体を取り付けた放熱器を備え、発熱部品取付部と放熱器外郭面との間にスリットや切り欠きなどの中空部を設け、発熱体からの熱が放熱器の当該外郭面に伝わりにくい構造とする。【選択図】図１
2011097689.tif 000002
【特許請求の範囲】
【請求項１】
パワー素子が発生する熱を放熱するためのモータ制御装置の放熱構造において、発熱部品取付部にパワー素子などの発熱体を取り付けた放熱器と前記放熱器の一部を覆うとともにモータ制御装置の外郭を構成する筐体ケースとを備え、前記筐体ケースで覆われず外部に露出している放熱器外郭面と前記発熱部品取付部との間にスリットや切り欠きによる中空部を設けたことを特徴とするモータ制御装置の放熱構造。
【発明の詳細な説明】
【技術分野】
【０００１】
本発明は、モータ制御装置の放熱構造に関する。
【背景技術】
【０００２】
従来、モータ制御装置の放熱構造は、内部回路部品の発熱を効率よく外部へ放出させるため放熱器のフィン形状を工夫したり、冷却ファンを用いるなど冷却効果を検討し、製品仕様を満たすような構造設計がなされている。
【０００３】
また、薄型化や小型化を考慮しつつ放熱効果の高い構造として放熱フィンや冷却ファン、通気孔などの配置を考慮したものが提案されている(例えば、特許文献１参照)。
【先行技術文献】
【特許文献】
【０００４】
【特許文献１】特開２００７−２０９０６２号公報
【発明の概要】
【発明が解決しようとする課題】
【０００５】
解決しようとする問題点は、放熱器がモータ制御装置製品外部に露出している構造の場合、動作中や電源遮断直後などの発熱によって高温になっている状態で作業者が触れると火傷を負う危険性があることであり、これまでは内部発熱を外部へ逃がすことのみを優先し、作業者が触れる可能性のある部分の温度上昇について考慮した構造ではなかった。
【０００６】
本発明は上記従来の課題を解決するものであり、高放熱性を維持しつつ作業者が触れる可能性のある製品外郭部の温度上昇を抑え、取扱い上の安全性を考慮したモータ制御装置の放熱構造を提供することを目的とする。
【課題を解決するための手段】
【０００７】
上記課題を解決するために請求項１に記載のモータ制御装置は、発熱部品取付部にパワー素子などの発熱体を取り付けた放熱器を備え、発熱部品取付部と放熱器外郭面との間にスリットや切り欠きなどの中空部を設け、発熱体からの熱が放熱器の当該外郭面に伝わりにくい構造とする。
【発明の効果】
【０００８】
本発明の請求項１に記載のモータ制御装置の放熱構造によれば、モータ制御装置外部に露出する放熱器に内部発熱体の熱が伝わりにくいため、作業者が誤って触れた場合にも火傷などの被害を防ぐことができる。
【０００９】
したがって、火傷被害の危険性を低減し安全性の高いモータ制御装置を提供することができる。
【図面の簡単な説明】
【００１０】
【図１】（ａ）は本発明の実施例1における放熱器の正面図、（ｂ）は同左側面図、（ｃ）は同右側面図、（ｄ）は同底面図、（ｅ）は同背面図、（ｆ）は同実施例におけるパワー半導体を示す平面図、（ｇ）は同正面図
【図２】同実施例におけるモータ制御装置の分解図
【図３】（ａ）は同実施例におけるモータ制御装置の正面図、（ｂ）は同左側面図、（ｃ）は同右側面図、（ｄ）は同平面図、（ｅ）は同底面図
【発明を実施するための形態】
【００１１】
以下、本発明の実施の形態について図を参照しながら説明する。
（実施例１）
図１は本発明のモータ制御装置の放熱構造を構成する放熱器１の外観図である。放熱器１の材料は一般にアルミであり、削り加工やダイキャストにより形成される。放熱器１の中央部には発熱部品取付部２があり、この部分にパワー半導体３などの発熱部品が取り付けられる設計となっている。発熱部品取付部２の表面はパワー半導体３の放熱面と密着して高い放熱効果を得られるよう、高い平面度を持つことが望ましい。さらに放熱器１には斜線でハッチングして示すように、発熱部品取付部２と面５、面６、面７の間に中空部４が設けられた形状となっており、直接アルミ面で接続される面積を小さくすることにより発熱部品取付部２で発生した熱が面５、面６、面７に伝達されにくい構造となっている。面５、面６、面７は後の図３で示すようにモータ制御装置の外郭を構成し、外部に露出する面であり、作業者が直接触れる面であるため、温度上昇を抑えて火傷などの危険性を低減する構造としている。放熱器の面５、面６、面７以外の面については、後の図３で示すように樹脂ケースなどで覆われるためモータ制御装置の外部に露出せず、直接作業者が触れることがない面であるため、発熱部品取付部２からの熱をできるだけ伝えて冷却効果を高める構造にするとともに、ファンモータ８からの風による冷却効果を増大させるためにフィン形状９を設けている。図２は本発明のモータ制御装置の分解図である。モータ制御装置は図１で説明した放熱器１、モータ制御回路に必要な電子部品等が実装されたプリント配線基板１０、放熱器１の発熱部品取付部２に取り付けられるとともに放熱器と反対側の面でプリント配線基板１０と電気的に接合されるパワー半導体３、放熱器１のファンモータ取付部１１に取り付けられるファンモータ８、モータ制御装置の外郭を成す筐体ケース１２、１３、１４より構成される。筐体ケース１２、１３、１４は例えば樹脂成型品により構成される。これらの部品を組み立て完成したモータ制御装置の外観図が図３である。図３における面５、６、７は図１の面５，６，７とそれぞれ対応しており、図中にハッチングで示すとおり放熱器１がモータ制御装置外部に露出している面である。モータ制御装置は通常、配線盤内などの人の手に触れにくい場所に設置されるが、動作調整やメンテナンス時など作業者が触る機会も少なくない。モータを駆動しているとき、モータ制御装置内のパワー半導体は発熱し、１００℃を超えるほどの高温になる。熱は放熱器を伝わるため放熱器の温度も高いところでは１００℃近くになり、モータ制御装置外部に放熱器が露出している場合は、その部分の温度も人間が素手で触れると火傷を負う程度の温度まで上昇していることが多い。しかし、本発明のモータ制御装置の放熱構造では、前述の通りモータ制御装置外部に露出する放熱器面は発熱部からの熱が伝わり難い構造となっているため、作業者が放熱器部分に触れた場合でも従来より火傷の危険性を低減でき安全性を高めることができる。
【産業上の利用可能性】
【００１２】
本発明のモータ制御装置の放熱構造は、産業用サーボモータを駆動するサーボアンプなどに有用である。
【符号の説明】
【００１３】
１  放熱器
２  発熱部品取付部
３  パワー半導体
４  放熱器の中空部
５、６、７  モータ制御装置外部に露出する放熱器面
１２、１３、１４  モータ制御装置筐体ケース
【図１】
2011097689.tif 000003
【図２】
2011097689.tif 000004
【図３】
2011097689.tif 000005
(57)【要約】【課題】    従来の実用新案登録に記載され商品としても見かける自転車に傘を取り付ける器具の工夫は多いがハンドル上部に突出していたので運転者の視界を妨げたり、転倒の際に頭部や顔面をぶつける危険があった。その為普及せず片手運転は無くなっていない。【解決手段】  傘の柄を曲がりのない真っ直ぐで最長５０センチ程度まで伸縮自在式の丈夫なアルミなどで作り、ハンドル上部の前面に接着した金属製の締め付けバンドと前籠取り付けの為のアングル金物の下部の水抜き穴を利用して上下二カ所で傘をしっかり固定する。【選択図】図１
2011245262.tif 000002
【特許請求の範囲】
【請求項１】
曲がらず真っ直ぐな最大５０センチ程度に伸縮自在式な柄を付けた傘を自転車のハンドル中央前部に接着した金属の締め付けバンドと前籠取り付けの為に付いているアングル金物の下部に空けた傘底部の外径に合わせた穴に嵌めて二カ所で固定し、雨の日や日傘としても片手運転をしないで交通安全に役立つ自転車に付ける傘。
【発明の詳細な説明】
【技術分野】
【０００１】本発明は一般市民の傘を差しながらの片手運転を防ぐ取り付け具に関する。
【背景技術】
【０００２】  従来の取り付け器具には実用新案登録された４４０以上ものものがある（例えば文献特開２００６−１０２４１３参照）【０００３】  以下、図１により説明する。従来の取り付け器具は傘の取り付け器具はハンドルの上部に取り付けられていたので運転の視界を妨げたし、衝突や転倒の際に運転者の頭部或いは顔面を痛打する危険が予想される。その上取り付け、取り外しが簡単でないものが多そうだった。
【発明の概要】
【発明が解決しようとする課題】
【０００４】  本発明は以上に述べた従来の取り付け法の欠点を解決しようとするものであり、運転者の安全を脅かすことなく、傘の取り付け取り外しも数秒でごく簡単に行える。
【課題を解決するための手段】
【０００５】  そして本発明は上記目的を達成するために傘の柄を曲げないで真っ直ぐにかつ５０センチほども長くする。ただしアルミなどで丈夫で伸縮自在式の物とするから取り外せば直ちに最短に縮めて持ち運んでも怪しまれない。【０００６】  またこの長柄の傘を自転車に取り付ける為の器具としては市販の水道やガスのホースを取り付ける際に用いられる金属の締め付けバンドを利用してハンドル中央部の前方に接着するだけで良い。これなら小さい物だし運転者の視界も妨げず転倒時に頭を打つ危険もあり得ない。【０００７】  これだけでは傘は安定しないので全ての自転車に前籠を取り付ける為に付いているアングル金物の下部の水抜き穴を利用する。この穴を傘の柄の底部の外径に合わせて広げておき差し込めば図１で明らかなように傘は底部と上部の二カ所で確実に固定されて運転の振動や多少の風にも横ぶれしない。
【図１】
2011245262.tif 000003
【手続補正書】
【提出日】平成22年7月15日(2010.7.15)
【手続補正１】
【補正対象書類名】明細書
【補正対象項目名】全文
【補正方法】変更
【補正の内容】
【発明の詳細な説明】
【技術分野】
【０００１】本発明は一般市民の傘を差しながらの片手運転を防ぐ取り付け具に関する。
【背景技術】
【０００２】  従来の取り付け器具には４４０件以上の実用新案登録がある。（例えば文献特開２００６ー１０２４１３参照）一番古い登録は大正年間に遡る。【０００３】  以下、図１により説明する。従来の取り付け器具はハンドルの上部か後部に有ったので運転の視界を妨げたし、衝突や転倒の際に運転者の頭部或いは顔面を痛打する危険が予想される。その上取り付け、取り外しに手間が掛かり自転車のデザインを損なう物が多い。
【発明の概要】
【発明が解決しようとする課題】
【０００４】  本発明は以上に述べた従来の取り付け方法の欠点を解決しようとするものであり、運転者の安全を脅かさず、傘の取り付け取り外しもごく簡単で、自転車のデザインも損なわない。
【課題を解決するための手段】
【０００５】  本発明は上記目的を達成するために傘の柄は曲げないで真っ直ぐにし従来より５０センチほども長く引き伸ばせるように丈夫なアルミなどの伸縮自在柄に作るから取り外せば直ちに普通の長さの柄に縮むので携帯に便利である。【０００６】  この傘を自転車に固定する為に全ての自転車に付いている前籠取り付け用のアングル金物を利用するのが私の発明の眼目である。水抜き穴が有るから傘の柄の先端を細めておいて差し込めば根本はしっかり固定できる。【０００７】  これだけでは不十分なので傘の上部に付けた丈夫な長い紐で自転車のハンドル中央部分にしっかり縛るか、或いは市販の水道やガスのホースに用いられる金属の締め付けバンドをハンドル中央の前面に接着して傘の柄を差し込んでから下のアングル金物の穴に落とし込む。かくして長柄の傘は上下二カ所で確実に固定されて多少の風でも横ぶれしないし運転者の頭上を適当な高さにカバーして雨や強い日差しを防ぐ。
【図面の簡単な説明】
【０００８】
【図１】自転車に付ける傘の側面図
【手続補正書】
【提出日】平成23年1月20日(2011.1.20)
【手続補正１】
【補正対象書類名】特許請求の範囲
【補正対象項目名】請求項１
【補正方法】変更
【補正の内容】
【請求項１】
曲がらず真っ直ぐな最大５０センチ程度に伸縮自在の先端を細くした柄を付けた傘を自転車のハンドル中央前部に接着した金属の締め付けバンドと前籠取り付けの為に付いているアングル金物の下部に空けた傘底部の外径に合わせた穴に嵌めて二カ所で固定し、雨の日や日傘としても片手運転をしないで交通安全に役立つ自転車に付ける傘。
(57)【要約】【課題】  トランプゲームを大勢の人数で楽しめるように、ゲーム中に見ている数字面を華やかにすることを提供する。【解決手段】  トランプのマーク（ハート・スペード・ダイヤ・クローバー）を、背景の色＆キャラクターに替えて識別することで、色＆キャラクターの種類を増やすことでカードが増え大勢の人数でトランプゲームができ、数字面を色・装飾文字・イラスト等＆キャラクターで華やかにして楽しめるカラー＆キャラクターカードゲーム用のカード。【選択図】図１
2011245261.tif 000002
【特許請求の範囲】
【請求項１】
トランプのカードのマーク（ハート・スペード・ダイヤ・クローバー）を、背景の色の種類で識別することでカードの枚数を増やすことができ、ゲームを行う１〜１３の数字面を色・装飾文字・イラスト等で華やかに表すことを特徴とするカラーカードゲーム用のカード。
【請求項２】
背景の色の種類で識別する［請求項１］の替わりに、キャラクターの種類で識別することでカードの枚数を増やすことができ、ゲームを行う１〜１３の数字面をキャラクターで華やかに表すことを特徴とするキャラクターカードゲーム用のカード。
【発明の詳細な説明】
【技術分野】
【０００１】  本発明は、背景が色彩のカードに装飾文字等を表したカラーカード＆キャラクターを表したキャラクターカードを用いて行うゲームカードである。
【背景技術】
【０００２】  従来のトランプゲームを行うゲームカード。
【先行技術文献】
【０００３】
【特許文献１】  実用新案登録公開平７−１９４７
【特許文献２】  特許公開平８−３０８９８０
【発明の概要】
【発明が解決しようとする課題】
【０００４】  （イ）従来のトランプは、枚数が決まっていること。
（ロ）従来のトランプは、ゲームを遊ぶマーク（ハート・スペード・ダイヤ・クローバ        ー）と、数字の配置が決まっていること。
（ハ）従来のトランプの枚数では、大勢の人数で遊ぶとき一人一人の手持ちのカードが        少なく、ゲームを成立することが難しいこと。
【課題を解決するための手段】
【０００５】  数字は従来のトランプの１〜１３として、マーク（ハート・スペード・ダイヤ・クローバー）ではなく、背景の色＆キャラクターの種類で識別することでカードの枚数を増やすことができ、ゲームを行う数字面を色・装飾文字・イラスト等＆キャラクターで華やかに表すことができることを特徴とするカラーカード＆キャラクターカードゲーム用のカードである。
【発明の効果】
【０００６】  背景の色＆キャラクターを増やすことでカードの枚数が増えるので、大勢の人数でゲームを楽しむことが可能になり、ゲーム中に見ている数字面が色・装飾文字・イラスト等＆キャラクターで華やかになります。
【図面の簡単な説明】
【０００７】
【図１】本発明のカラーカードの実施例を表す平面図
【図２】本発明のキャラクターカードの実施例を表す平面図
【発明を実施するための形態】
【０００８】  以下、本発明を実施するための形態について説明する。
（イ）トランプゲームの数字面を、背景がひとつの色で色彩されたカラーカードに１〜        １３の数字を装飾文字・イラスト等で表す。
（ロ）トランプゲームの数字面を、キャラクターと１〜１３の数字で表す。
（ハ）色＆キャラクターの種類を増やすことで１〜１３のカードを、従来のトランプの        マーク（ハート・スペード・ダイヤ・クローバー）の４種類よりも多く自由にカ        ードの総枚数を増やす。
（ニ）ジョーカーについては、数字を表すカラー＆キャラクターカードと区別できるよ        うに色＆キャラクターの種類別に用意する。
（ホ）色彩と装飾文字・イラスト等＆キャラクターと数字で表された面の裏側の面は全        て同一模様とする。
【符号の説明】
【０００９】１  カラーカード
２  色彩（背景）部
３  装飾文字・イラスト等
４  キャラクターカード
５  キャラクター
６  数字
【図１】
2011245261.tif 000003
【図２】
2011245261.tif 000004
(57)【要約】【課題】洗面器で、バスタブよりお湯を汲み上げるには、かなりの力と技術が要する為、子供、お年寄りには相当の負担となっておる。洗面器で汲み上げるときは、洗い場の石鹸液がバスタブに入り、汚れることが多い。本発明は、以上の問題を解決するための入浴者の省力ホースを提供する。【解決手段】バスタブの湯水を誘導するに充分な形状と長さから成り、合成樹脂又はゴム等を用いて形成される「フレキシブルなホース」の一端に止水栓を設けると共に、このホースに移動可能な固定具を複数個装着したことを特徴とした入浴者の省力ホース。【選択図】図１
2011245253.tif 000002
【特許請求の範囲】
【請求項１】
適宜な太さと長さのフレキシブルなホースの一端を開口とし、他の一端に止水栓を設けると共に、前記ホースを所定の位置に固定する固定具を装着したことを特徴とする入浴者の省力ホース。
【発明の詳細な説明】
【技術分野】
【０００１】本発明は、「フレキシブルなホース」を使い、バスタブより簡単に湯水を汲み出しかかり湯とする入浴者の省力ホースに関するものである。
【背景技術】
【０００２】従来、洗面器でバスタブの湯水を汲み上げて、かかり湯としておる。
【先行技術文献】
【０００３】
【特許文献１】
【非特許文献１】
【発明の概要】
【発明が解決しようとする課題】
【０００４】そのために、次のような問題点があった。
（イ）洗面器で、バスタブより湯水を汲み上げるには、かなりの力と技術が要する為、子供、お年寄りには相当の負担となっておる。
（ロ）洗面器で汲み上げるときは、洗い場の石鹸液がバスタブに入り、汚れることが多い。
本発明は、以上の問題を解決するためのものである。
【課題を解決するための手段】
【０００５】バスタブの湯水を誘導するに充分な形状と長さから成り、合成樹脂又はゴム等を用いて形成される「フレキシブルなホース」の一端に止水栓を設けると共に、このホースに移動可能な固定具を複数個装着したことである。
以上を特徴とした入浴者の省力ホースである。
【発明の効果】
【０００６】「フレキシブルなホース」を使用する事で、必要な時に必要な量を、バスタブより簡単に、洗面器に汲み出す事が出来る。
また、洗面器に付着した石鹸液による、バスタブの湯水の汚れがなくなります。
「フレキシブルなホース」に移動可能な固定具を複数個適宜な位置に使用することでバスタブの湯水を正確に洗面器に落とし込むことが出来る。
「フレキシブルなホース」を使用する事で曲げ位置、角度等が自由に出来、バスタブのサイズはフリーに対応できる。
【図面の簡単な説明】
【０００７】
【図１】本発明を示す側面図である。
【図２】本発明の使用状態を示す側面図である。
【発明を実施するための形態】
【０００８】以下、本発明の実施の形態ついて説明する。
（イ）「フレキシブルなホース」は口径が３０ミリを約１メートル使用しても良い。
（ロ）「フレキシブルなホース」（１）の一端に止水栓を取り付ける。
（ハ）固定具は吸着盤を用いても良く、移動可能な固定具を「フレキシブルなホース」（１）に装着する場合、輪ゴム付きの吸着盤（３）を用いることも出来る。
本発明は以上のような構成で、これを使用するときは、「フレキシブルなホース」（１）を適当な角度で折り曲げ、止水栓（２）は開く、にする、バスタブのお湯の中にホース全体を沈め、ホース（１）の中に入っている空気を完全に抜きます。
ホース（１）の中は湯水だけになります、ここで沈めた状態のまま止水栓（２）を止める、にする。
ホース（１）の吸入口側をお湯に沈めた状態で、移動可能な輪ゴム付吸着盤（３）をバスタブの内側に適宜な位置に固定する。
ホース（１）の止水栓のある方を、バスタブの外側に出し、適当な位置に移動可能な輪ゴム付吸着盤（３）をバスタブの外側に固定する。
これで設置完了です、止水栓で出す、止める、で使用する。
【符号の説明】
【０００９】（１）ホース
（２）止水栓
（３）固定具
【図１】
2011245253.tif 000003
【図２】
2011245253.tif 000004
(57)【要約】      （修正有）【課題】マジックテープには悪魔のような吸着性と、同時に、同一のものとして、あっさりとした取り外し性が求められる。この二律背反ともいうべき両原則をマジックテープの端の余裕部分を持って、満足させたのが本件発明である。【解決手段】マジックテープの表面端の部分に、接着を目的とはしない余裕部分１を設ける。すなわち、マジックテープを装着していない部分を表面端に設ける。【選択図】図１
2011245256.tif 000002
【特許請求の範囲】
【請求項１】
マジックテープを用いて接合しようとする二つの部品の、少なくとも一方のマジックテープ表面の端の部分に、接合を目的とはしない余裕部分、即ち、マジックテープを装着していない部分を当該表面の端に設けることを特徴とする、マジックテープ。
【請求項２】
マジックテープで用いる接合しやすいテープ二種類を、当該部品一つについて一つづつ使うのではなく、一方で二種を互い違いに複数個用いることを特徴とする、マジックテープ。
【発明の詳細な説明】
【技術分野】
【０００１】  この発明は、洋服を始め色々な分野で、二つの物を離さずくっつける道具として、今や絶大なる影響力を持つマジックテープの実力についての、服装の技術の、更なる改良に関するものである。
【背景技術】
【０００２】  従来より、マジックテープは主として洋服の範疇で、二つの物を離さずくっつける道具として、その持つ機能を十分に発揮してきたが、反面、純粋に道具としてみた場合
くっつける道具としては秀逸で文句の出しようもないが、くっつけたあと、今度は取り外しが難しい場合がある。
散々くっつけることを研究した挙句に、今度は取り外しについて四の五の言われるのはメーカーも大変といえば大変だが、それが、ユーザーからの要望となれば、そうも云えないのがメーカーの宿命である。
【先行技術文献】
【特許文献】
【特許文献】  発見出来ませんでした。
【発明の概要】
【発明が解決しようとする課題】
【０００５】  マジックテープには悪魔のような吸着性と、同時に、同一のものとして、あっさりとした取り外し性が求められる。
この二律背反ともいうべき両原則を、マジックテープ表面の端の余裕部分を持って、満足させたのが本件発明である。【０００６】  そして取り外したあと、その作為者の意思に完全に従っている、とは云い得ないまでの、マジックテープの悪魔のような吸着性を、今度は逆に防ごうとする努力が求められる。
マジックテープは使われないとき、その悪魔のような吸着性の悪魔の部分が顔を出してくるが、
本件発明品に於いては、マジィックテープの接着に使う二種類の容着性布の部分を一本づつに分けて使うの場合のみならず、片方に二つ以上まとめて互い違いに用いる場合をも想定する。【０００７】  ここで、マジィックテープの接着に使う二種類の容着性布という表現を用いたが、二種類の容着性布は便宜上結果的にそうなっている、ということで全体としてみれば、［図２］のように、それは一本のマジィックテープであってもかまわない。
【課題を解決するための手段】
【０００８】  マジックテープを用いて接合しようとする二つの部品の、少なくとも一方のマジックテープ表面の端の部分に、接合を目的とはしない余裕部分、即ち、マジックテープを装着していない部分を当該表面の端に設けることを特徴とする、マジックテープ。【０００９】  マジックテープで用いる接合しやすいテープ二種類を、当該部品一つについて一つづつ使うのではなく、一方で二種を互い違いに複数個用いることを特徴とする、マジックテープ。
【発明の効果】
【・・・・】
【図面の簡単な説明】
【００１０】
【図１】二種類の容着性布を接着するマジックテープの図
【図２】一本の容着性布を器具を通すことによって二本に見立て、接着するマジックテープの図
【発明を実施するための形態】
【００１１】  マジックテープの表面端の部分に、接着を目的とはしない余裕部分を設ける。
すなわち、マジックテープを装着していない部分を表面端に設ける。
裏面については布の状態のままとする。
そのことによって表面通しが、作為者の意思に反してマジックテープが剥がれてしまう、といった事態も想定しうるが、
マジィックテープの表面通しを装着する際の力に、そのベクトル、方向性を、無意識であったにせよ、計算し尽くした、二つの物を離さずくっつける、作業の結論にまで指向性、方向性にも責任を持った、道具としての実際の案件に対して、
作為者の意思に反してマジックテープを剥がそうとする力は、正に無意識な状態でかかるもの、であり、すなわち、作為者の意思によるベクトル、方向性の前には、多くの場合無力であるといわねばならない。
【００１２】  マジィックテープを持って装着を試みる、二つの、多くの場合布には、これまた多くの場合、一方の表側と他方の表側には、くっつける側とくっつけられる側として生地に別々の、他方とは異なった加工、を施した接着性の高い布を接着する場合が多いが、本件発明では、一例として両方の表側に二種類の接着性の高い布を交互に複数個用いることを考えてみる。
【００１３】  これは、両表面に二種類の接着性の高い布を交互に複数用いることによって、単体のマジィックテープをそれとして使用していない際にも、仮に２本以上のテープが混在する場合でも、単体の、１本のテープとして自己完結的に別種のテープと仲良く、ゆったりかきっちりかどの様な形態であっても、握り合えるという状態を、作為的に、意図して、作り、外部のマジィックテープ以外の雑物に対して、マジィックテープの表面は当該マジィックテープの作為者の意図に反して引っ付いていく、というわずらわしさからも作為者を開放しうる。
【００１４】  最後に本文件ではマジィックテープの表面通しを装着することとし、裏面には装着に関して何の加工も施さない状態を想定する。
【実施例】
【・・・・】
【記号の説明】
【００１４】１  マジックテープＡ、Ｂを装着していない余裕部分
２  接着性の高い布（マジックテープ）Ａ
３  接着性の高い布（マジックテープ）Ｂ
（マジックテープＡ、Ｂは共に布の表面にあり、裏面には何らの影響も及ぼさない。）
４  布を通すべく作られた器具
【受託番号】
【・・・・】
【図１】
2011245256.tif 000003
【図２】
2011245256.tif 000004
(57)【要約】【課題】片手で傘をさして、もう片手で何か作業をする場合は、人にぶつかったり、雨に濡れたりしてとても危険かつ不自由だった。  本発明は、傘をさしながら簡単に作業をするための脇挟み式傘補助具を提供する。【解決手段】脇に挟み易い形状に形成された脇挟みベースにおいて、両端に傘持ち手と柄先端部をはめ込むための溝を設け、その左右にそれぞれ傘持ち手ホルダーと肩掛け棒ホルダーを設け、傘持ち手ホルダーに傘持ち手留め具を取り付け、肩掛け棒ホルダーに肩掛け棒調整ネジを設けたことを特徴とする脇挟み式傘補助具。【選択図】図１
2011245240.tif 000002
【特許請求の範囲】
【請求項１】
円柱形発泡ウレタンゴムのような滑りにくい素材からなる脇挟みベースを形成し、その両端に長手方向と垂直に、少しだけ中心側にくり抜いた、傘の柄ほどの溝を設け、この溝の両端の位置まで、脇挟みベース長手方向に中心部を貫くプラスティックのような強度を持つパイプを設け、脇挟みベースの上部にパイプ状のプラスティックのような強度を持つ横倒れ防止部を設け、この横倒れ防止部と脇挟みベースの中に設けられたパイプを連結固定させ、更にウレタンゴムなどソフトな感触の滑りにくい素材からなる横倒れ防止部カバーをつけ、横倒れ防止部の一端に傘の柄持ち手部をはめ込むＴ字型の傘持ち手ホルダーを設け、他端に肩掛け棒ホルダーを設け、傘持ち手ホルダーに傘持ち手留め具を設け、肩掛け棒ホルダーに肩掛け棒を差し込み、肩掛け棒調整ネジを設けたことを特徴とする脇挟み式傘補助具。
【発明の詳細な説明】
【技術分野】
【０００１】  本発明は、雨の日など傘を使う時の脇挟み式傘補助具に関するものである。
【背景技術】
【０００２】  従来、傘をさす時は、主に片手でさす。
なお、棒状のものを体にまきつけ固定する傘が知られている（非特許文献１参照）。
【先行技術文献】
【０００３】
【非特許文献１】肩ブレラ（ｈｔｔｐ：／／ｗｗｗ．ｋａｔａｂｒｅｌｌａ−ｊｐ．ｃｏｍ／）
【発明の概要】
【発明が解決しようとする課題】
【０００４】  （イ）従来、片手で傘をさしてもう片手の方がふさがっている時、何か他の作業をする場合、傘が手から離れ飛んでしまい、周囲の人にぶつかり、怪我をさせる危険があった。
（ロ）体に固定する傘も、強風や転倒した時に体からすぐに離すことが不可能なため、体を傷つけ、非常に危険である。
（ハ）自由に傘の向きを変えると、周囲の人にぶつかったりして、人混みの中で行動することは危険を伴う。
（ニ）装脱着に時間と手間がかかるので、手荷物をすべて脇に置き、作業する必要があるため、雨に濡れてしまい、傘の機能を果たせなくなる。
本発明は、以上の問題点を解決するためになされたものである。
【課題を解決するための手段】
【０００５】  円柱形発泡ウレタンゴムのような滑りにくい素材からなる脇挟みベースを形成し、その両端に長手方向と垂直に、少しだけ中心側にくり抜いた、傘の柄ほどの溝を設け、この溝の両端の位置まで、脇挟みベース長手方向に中心部を貫くプラスティックのような強度を持つパイプを設ける。
脇挟みベースの上部にパイプ状のプラスティックのような強度を持つ横倒れ防止部を設け、この横倒れ防止部と脇挟みベースの中に設けられたパイプを連結固定させ、更にウレタンゴムなどソフトな感触の滑りにくい素材からなる横倒れ防止部カバーをつける。
横倒れ防止部の一端に傘の柄持ち手部をはめ込むＴ字型の傘持ち手ホルダーを設け、他端に肩掛け棒ホルダーを設け、傘持ち手ホルダーに傘持ち手留め具を設ける。肩掛け棒ホルダーに肩掛け棒を差し込み、肩掛け棒調整ネジを設ける。
以上の構成よりなる脇挟み式傘補助具である。
【発明の効果】
【０００６】  片手で傘をさしてもう片手の方がふさがっている時、何か他の作業をする場合における危険性や不自由さを、本発明によりなくすことができ、安全に傘をさしながら作業をすることが可能になる。また、自由に傘の向きを変えたり、周囲に迷惑をかけずに人混みの中で通行したり、簡単に装脱着したりすることもできるので、従来の傘の良さを保ちつつ、さらに機能を向上させることができる。
【図面の簡単な説明】
【０００７】
【図１】本発明の正面図
【図２】本発明の使用状態を示す正面図
【図３】本発明の一部である溝部の斜視図
【発明を実施するための形態】
【０００８】  以下、本発明の実施の形態を説明する
（イ）円柱形発砲ウレタンゴムのような脇挟みベース（１）に穴をあけ、その中にプラスティックのような強度を持つパイプ（１０）を挿入し、パイプ（１０）の上部に２つネジ穴をあける。
（ロ）脇挟みベース（１）の上部にパイプ状のプラスティックのような強度をもつ横倒れ防止部（２）を設け、横倒れ防止部（２）の上に２つネジ穴をあけ、ネジ（１１）で横倒れ防止部（２）とパイプ（１０）を固定させ、更にウレタンゴムなどの素材からなる横倒れ防止部カバー（９）をつける。
（ハ）横倒れ防止部（２）の左右にそれぞれ、傘の柄持ち手部（８）をはめ込むＴ字型の傘持ち手ホルダー（３）と肩掛け棒ホルダー（４）を設け、傘持ち手ホルダー（３）に傘持ち手留め具（７）を設ける。
（ニ）肩掛け棒ホルダー（４）に肩掛け棒（６）を差し込み、肩掛け棒調整ネジ（５）を設ける。
本発明は以上の構造である。
本発明を使用するときは、本体を傘の柄持ち手部（８）の上方から脇挟みベース（１）の左右にカットされた溝（１３）に合わせて差し込む。この時、肩掛け棒ホルダー（４）側の脇挟みベース（１）を柄先端部（１２）の内側に斜めに差し込み、次に傘持ち手ホルダー（３）側に脇挟みベース（１）を差し込む。
傘をさす時、まず肩掛け棒（６）を下方に回転させ、傘を開く。開いたら横倒れ防止部（２）を脇にあてがい、脇挟みベース（１）を脇全体で挟む。次に肩掛け棒（６）を上部に戻し、棒の高さを肩掛け棒調整ネジ（５）で調整し、肩掛け棒ホルダー（４）を首側に回しこみ、しっかり肩にかかるように固定する。
【符号の説明】
【０００９】１  脇挟みベース、２  横倒れ防止部、３  傘持ち手ホルダー、４  肩掛け棒ホルダー、５  肩掛け棒調整ネジ、６  肩掛け棒、７  傘持ち手留め具、８  柄持ち手部、９  横倒れ防止部カバー、１０  パイプ、１１  ネジ、１２  柄先端部、１３  溝
【図１】
2011245240.tif 000003
【図２】
2011245240.tif 000004
【図３】
2011245240.tif 000005
(57)【要約】      （修正有）【課題】茶こしき等の不要な急須、及び直接お茶の葉を投入して飲用可能な湯飲みの提供。【解決手段】急須の胴体部の急須口の下又は湯飲みに凸部を付け、其の凸部に切り込み又は穴を設け、凸部の下にお茶の葉が溜まる構造とした。急須の場合は急須口からのお茶（水）が出やすくなり、又湯飲みの場合は直接お茶を飲むことができる。【選択図】図１
2011245250.tif 000002
【特許請求の範囲】
【請求項１】
急須、の胴体内部の急須の口下に凸部を付けた
又は、湯飲みの内部に凸部を付けた
【請求項２】
その凸部に切り込み又は穴をあけた
【発明の詳細な説明】
【技術の分野】
【００１】本発明は急須のお茶の出口のつまりを防止するための急須である。又は湯飲みにお茶入れ直接飲んでも良い
【背景の技術】
【００２】従来お茶の出口のつまりを防止するため、茶こしき等の道具があった。又お茶を飲むには急須や紙に包んだお茶のはが必要であった
【発明の開示】
【発明が解決しようとする課題】
【００３】急須の出口のつまりを防止するため、急須に、こしきなどの部品を取り付ける必要があった。又、湯飲みは凸部を付けることで其のままお茶が飲める
【課題を解決するための手段】
【００４】急須内のお茶の出口の下に又、湯飲みの中に凸部をつけ茶の葉を其の下に溜めるようにした。
【発明の効果】
【００５】急須の出口にたまる、お茶の葉を除去しまた、湯飲みの凸部の下にお茶の葉を溜めるようにした
【発明を実施するための最良の形態】
【００６】凸部に穴又は切り込みをしておけば茶こし器の役割を果たし取り外しをする必要がないまた湯飲みはそのままお茶を飲んでもお茶の葉が直接口にはいることはない。
【図面の簡単な説明】
【００７】
【図１】（１）急須の断面図  （２）湯飲みの断面図
【図２】凸部の（１）きりかき  （２）穴あき、の断面図
【符号の説明】
【００８】１  （１）急須の胴体  （２）湯飲みの胴体
２  急須のふた
３  急須の胴体部に付けた凸部
４  急須の口
５  お茶の葉
【図１】
2011245250.tif 000003
【図２】
2011245250.tif 000004
(57)【要約】【課題】ヒトの顔や頭は元来左右が同じ形やサイズに整って成長するはずであるが、胎児の時の体の向き、生まれてからの寝方によって左右非対称になり、目立つことがある。  本発明は顔の形を正すことの出来る器具を提供する。【解決手段】奥歯で噛んでも割れたりせず、歯を痛めない堅さの割り箸サイズの棒の前に着色液体の入った水平板を設ける。【選択図】図１
2011245245.tif 000002
【特許請求の範囲】
【請求項１】
奥歯で噛んでも割れたりせずに、歯を痛めない堅さの割り箸サイズの棒の前面に着色液体の入った水平板を設けた顔面矯正具。
【発明の詳細な説明】
【技術分野】
【０００１】  本発明はヒトが寝ている時の寝方の癖によって生じる顔面左右の不均衡を正す器具に関するものである。
【背景技術】
【０００２】
【先行技術文献】
【０００３】
【発明の概要】
【発明が解決しようとする課題】
【０００４】  ヒトの頭や顔は、元来前後左右が同じ形やサイズに成長する予定だが、胎児の時の体の向き、生まれてからの寝方によって左右非対称になることがある。目から口の端までの長さ、こめかみの左右の長さなど明らかに左右不均衡になることがある。
本発明は以上の問題点を解決するためになされたものである。
【課題を解決するための手段】
【０００５】  奥歯で強く噛んでも割れたりせず、歯を痛めない堅さの割り箸サイズの棒の前面に着色液体の入った水平板を設ける。
以上の構成よりなる顔面矯正具。
【発明の効果】
【０００６】  顔面の左右非対称や顔面のいびつ感を解消していくことを本発明が可能にする。
棒を口の左右にあて、奥歯で噛む。これを一回１０分以上繰り返すことで大人から子供まで顔の形はより左右対称に正されていく。
【図面の簡単な説明】
【０００７】
【図１】本発明の斜視図
【図２】本発明の平面図
【図３】本発明の使用状態図
【発明を実施するための形態】
【０００８】  以下本発明の実施形態を説明する。
棒▲１▼の前面に着色液体▲４▼の入った容器▲３▼を支える板▲２▼で取り付ける。
本発明は以上のような構造である。
本発明を使用するときは棒▲１▼の部分を口の左右にあてて、奥歯で噛む。
【符号の説明】
【０００９】  （１）棒  （２）前面の容器を支える板  （３）容器  （４）着色液体
【図１】
2011245245.tif 000003
【図２】
2011245245.tif 000004
【図３】
2011245245.tif 000005
(57)【要約】【課題】洗濯物を洗濯かごから取り出して干す時、洗濯かごは干し場の床面に置いてあるので取り出す度に腰や膝を曲げ体を大きく屈ませなければならないので、腰や膝に大きな負担がかかっている。本発明は屈まなくとも洗濯かごより洗濯物を取り出せる洗濯かごを提供する。【解決手段】洗濯かごの側面に伸縮式の脚を設け、脚にはストッパーとストッパーが入る開口部を設ける。脚に脚台を設ける。かごの底部隅角四隅に凹部を設け、上部に持ち手を設ける。【選択図】図１
2011245242.tif 000002
【特許請求の範囲】
【請求項１】
洗濯かごの側面に伸縮式の脚を設け、脚にストッパーを設け、脚に脚台を設け、洗濯かごの底部隅角四隅に凹部を設けた洗濯かご。
【発明の詳細な説明】
【技術分野】
【０００１】    本発明は洗濯かごに関するものである。
【技術背景】
【０００２】    従来洗濯物を干すとき、洗濯物を洗濯かごに入れ干し場へと運び床に置いて低い位置にある洗濯かごより取り出して干していた。
【先行技術文献】
【０００３】
【特許文献】
【特許文献】    特開２００３−２４５４９６  特開２００５−３３４６０８  実用新案３０１１４５５
【発明の概要】
【発明が解決しようとする課題】
【０００４】  洗濯物を干す時床面に置いた洗濯かごより洗濯物を取り出すので腰や膝を大きく曲げて体を深く屈めるため、腰や膝に大きな負担がかかる。本発明は以上の問題を解決するためになされたものである。
【課題を解決するための手段】  洗濯かご側面に逆三角形型伸縮式の脚を設ける。脚にストッパーとストッパーを機能させるための開口部を設ける。ストッパー凸部両脇に下方へ延長して切れ込みを入れる。かご上部は持ち手を設ける。底部隅角四隅に凹部を設ける。以上の構成よりなる洗濯かご。
【発明の効果】
【０００６】  従来干し場にて洗濯かごより洗濯物を取り出して干す時、洗濯かごを足元の床面に置いて作業するため、洗濯物を洗濯かごより取り出す度に腰や膝を大きく曲げるため、大きな負担が腰や膝にかかっていた。本発明により干し場に於いて床面に置いた洗濯かごを使用者の腰付近の高さに位置させることが出来るため、洗濯物を洗濯かごより取出す時に屈む必要が無いので腰や膝への負担を無くすことが出来る。また、脚の段数を変えることにより、洗濯かごの高さを変えることが出来る。非使用時は脚を縮めて収納しておけるのでコンパクトになり、脚を縮めた状態では従来どおりの洗濯かごとしても使用できる。
【図面の簡単な説明】
【０００７】
【図１】本発明の側面図
【図２】本発明の正面図
【図３】本発明の上方図
【図４】本発明の脚縮時図
【図５】脚分解正面図
【図６】底面凹部斜視図
【発明を実施するための形態】
【０００８】イ）かご本体（１）側面に逆三角形型伸縮式の脚（２）を設ける。
ロ）かご本体（１）の上部に持ち手（５）を設ける。
ハ）伸縮式脚（２）にストッパー（３）となる凸部とストッパーが納まる開口部（６）を  設ける。
ニ）伸縮式脚（２）に脚台（４）を設ける。
ホ）ストッパー（３）の凸部（４）に接する両脇に下方へ延長した切れ込みを入れる。
かご本体（１）底面隅角部四隅に凹部（８）を設ける。かご上部に持ち手を可動させるための可動部（９）を設ける
本発明は以上のような構造である。
本発明を使用する時はかご本体（１）の内部に洗濯物を入れ、床面に置いた状態で使用者の左右の足にてそれぞれ左右の脚台（４）を踏み押さえつける。持ち手（５）を持ち、上方へ引き上げる。脚（２）のストッパー（３）が開口部（６）に嵌まっていることを確認し洗濯物を干す作業を開始する。また脚は逆三角形型なので、脚（２）を引き出しても抜けることがない。使用後はストッパー（３）を指等で押し込みストッパーを解除しながら上部の脚を下方へ下げ縮める。縮めた脚（２）はストッパーの凸部（４）が脚（２）の内面を押さえている状態になるので、縮めた状態から落ちてくる事がない。かご本体（１）に凹部（８）を設ける事により脚台（４）を足にて押さえる際、凹部（８）につま先が入る。かご持ち手（６）はかご可動部（９）によって可動できる。
【符号の説明】
【０００９】  （１）かご本体（２）伸縮式脚（３）凸部ストッパー（４）脚台（５）かご持ち手（６）ストッパーが入る開口部（７）切れ込み（８）凹部（９）持ち手可動部
【図１】
2011245242.tif 000003
【図２】
2011245242.tif 000004
【図３】
2011245242.tif 000005
【図４】
2011245242.tif 000006
【図５】
2011245242.tif 000007
【図６】
2011245242.tif 000008
(57)【要約】【課題】従来の歯ブラシは使用期間や使用人をメモするのに筆記用具が必要で、理想的な交換時期を忘れてしまい不衛生である。【解決手段】歯ブラシのハンドルに刻印付きの複数の穴とピンを付け理想的な交換時期を使用人に毎日認知させ、歯周病の予防に役立てる。【選択図】図１
2011245241.tif 000002
【特許請求の範囲】
【請求項１】
歯ブラシのハンドルに刻印付きの穴とピンを付けたもの。
【発明の詳細な説明】
【技術分野】
【０００１】歯ブラシのハンドルに刻印を付けた複数の穴にピンを挿入し使用月日や使用者を判るようにしたもの。
【背景技術】
【０００２】歯ブラシの形状や色で使用者を分けていた。
【発明の開示】
【発明が解決しようとする課題】
【０００３】日本では年間、約２億本の歯ブラシが売れているそうですが、今の人口から単純に計算すれば一人当たりの使用量は一年間に２本で、１本の歯ブラシを半年も使用していることになります。歯ブラシの交換時期は１０日から２週間、あるいは１ヶ月、歯ブラシの毛先が開いた時などで、歯茎に適したブラッシング効果と清潔な状態の保持を考えると１０日から２週間程度で換えるのが理想的だそうですが、実際には２、３ヶ月使用してる場合が多いので、次のことを薦めています。
▲１▼歯ブラシは１ヶ月毎に交換する。
▲２▼歯ブラシは６本程度まとめ買いする。
▲３▼まとめ買いした歯ブラシのパッケージに交換する月をメモ書きしておく。
▲４▼使用後の歯ブラシはリステリンに漬けて雑菌の繁殖を抑える。
特に▲３▼は、まとめ買いした歯ブラシのパッケージの裏側にマジックで交換する日をメモ書きして万一、交換するのを忘れていても一目で判るというものです。
しかし、パッケージやカレンダーにメモ書きする人は少ないかと思います。
また、大家族などは歯ブラシを色分けしたり歯ブラシ自体にマジック等で名前や交換時期を書き込まないとパッケージから取り出した歯ブラシが同色、同形状の場合や、ブラシの毛先の硬さの違いなど区別できなく使用者が判らなくなります。
【課題を解決するための手段】
【０００４】歯ブラシのハンドルに１年間分の１月から１２月にあたる１２個の数字の刻印を付けた穴と、日にあたる最低でも１、５、１０、１５、２０、２５、３０の数字の刻印を付けた７個の穴と、その穴を埋める２本のピンを歯ブラシのハンドル射出成形時に加工しておくものです。
【発明の効果】
【０００５】筆記用具等を使わずに歯ブラシの使用月日や同色、同形状が多くても使用者が判るようになり、歯ブラシの理想的な交換時期を薦めることができ、また目の不自由な人も利用できます。
【実施例】
【０００６】使い方は歯ブラシの使用開始の月日か交換月日に数字の刻印を付けたハンドルの穴に付属のピンを、もぎ取り挿入し埋め込みます。例えば使用開始が３月１８日なら３の穴と四捨五入した２０の穴を埋めます。歯ブラシを同時に交換する大家族の場合は代表者が使用開始日にピンを挿入して、他の人は誕生日など好きな数字をピンで埋めておけば同色、同形状でも使用人が誰か判ります。またアルファベットなどの刻印を付けた穴とピンの数を増やせば使用者が簡単に判り便利です。
【図面の簡単な説明】
【０００７】
【図１】刻印付きの穴とピンが付けられた歯ブラシを上面から見た図。
【図２】図１の歯ブラシを側面から見た図。
【符号の説明】
【０００８】１  月日を刻印した穴
２  もぎ取れるピン
【図１】
2011245241.tif 000003
【図２】
2011245241.tif 000004
(57)【要約】【課題】  この発明は、様々な材質、形状の串に食品を挿し込んだときに、調理液が垂れるのを防いだり、衛生的に取り扱えるよう工夫し、様々な材質、形状の容器で可動式の止め具を装着し、挿し込んだ食品を可動式の止め具で押し出す事で、簡単に抜けるように工夫した食品用の串の容器を提供する。【解決手段】  可動式の止め具（１）に穴（２）を設け、串（３）を設け、容器Ａ（４）に凸凹部（５）を設け止め部（６）を設け、容器Ｂ（７）に凸凹部（８）を設け、取っ手（９）を設けたことを特徴とする串挿し食品用の容器である。【選択図】図１
2011245247.tif 000002
【特許請求の範囲】
【請求項１】
可動式の止め具（１）に穴（２）を設け、串（３）を設け、容器Ａ（４）に凸凹部（５）を設け、止め部（６）を設け、容器Ｂ（７）に凸凹部（８）を設け、取っ手（９）を設けたことを特徴とする串挿し食品用の容器である。
【発明の詳細な説明】
【技術分野】
【０００１】  この発明は、様々な材質、形状の串に食品を挿し込んだときに、調理液が垂れるのを防いだり、衛生的に取り扱えるよう工夫し、様々な材質、形状の容器で可動式の止め具を装着し、挿し込んだ食品を可動式の止め具で押し出すことで、簡単に抜けるように工夫した食品用の串挿しの食品用の容器に関するものである。
【背景技術】
【０００２】  従来、串挿し食品は、根元まで挿し込んだ食品は食べづらく、食品販売店等でむき出しのままのバイキング方式で販売する場合、調理液が手に付着したり、ほこりや唾液等が付着したりし衛生的に良くはないのである。
フードパックに入れて販売しても調理液が手に付着したり垂れたりする。
木製、金属製、プラスチック製、その他の材質のいわゆる串だけである。
そこで、たとえば、食材を刺す串の摘み部分に串の摘み、または、串の摘み部分の被覆部材を取り付けた串の摘み部分の被覆部材が提案されていた。（特許文献１参照）
串の摘み部分を、食材を刺す串の部分より広幅とし、串の先端から移動が容易な鍔を嵌め込んでなる１本串、または、２本串、さらに串の表面に溝、または、凹凸を施した１本串、または、２本串である鍔付き串が提案されていた。（特許文献２参照）
【先行技術文献】
【０００３】
【特許文献１】  特開２００３−９３２４１号公報
【特許文献２】  特開２００３−６１８０５号公報
【発明の概要】
【発明が解決しようとする課題】
【０００４】  串挿し食品を食べやすくし、衛生的に販売、管理することである。
【課題を解決するための手段】
【０００５】  可動式の止め具（１）に穴（２）を設け、串（３）を設け、容器Ａ（４）に凸凹部（５）を設け、止め部（６）を設け、容器Ｂ（７）に凸凹部（８）を設け、取っ手（９）を設ける。
以上のように構成された串挿しの食品用の容器である。
【発明の効果】
【０００６】  串挿し食品を手を汚さずに、根元まで挿し込んだ食品を食べやすくし、容器に入れ、取り扱うため衛生面も向上し顧客も安心して購買できるのである。
【図面の簡単な説明】
【０００７】
【図１】  本発明の分解斜視図である。
【図２】  本発明の他の実施例を示した分解斜視図である。
【図３】  本発明の他の実施例を示した分解斜視図である。
【図４】  本発明の他の実施例を示した分解斜視図である。
【発明を実施するための形態】
【０００８】  以下、本発明を実施するための形態について説明する。
可動式の止め具（１）に穴（２）を設け、串（３）を設け、容器Ａ（４）に凸凹部（５）を設け止め部（６）を設け、容器Ｂ（７）に凸凹部（８）を設け、取っ手（９）を設ける。
以上のように構成された串挿し食品用の容器である。
本発明の使い方を説明する。
可動式の止め具（１）に穴（２）を設け、串（３）に止まるまで挿し込む、止め具（１）を挿し込んだ串（３）に食品を挿し込む。挿し込んだ串（３）を容器Ａ（４）に入れる、容器Ｂ（７）を容器Ａ（４）の凸凹部（５）に凸凹部（８）が密着するように押し込み、容器Ｂ（７）の開口部と反対側の壁で、串（３）の根元を押しながら装着すると、調理液のもれがなくなる。
食品を取り出すときは、取っ手（９）を上に上げることで、簡単にはずせ、食品が取り出せるのである。
これを食品販売店で販売する時に使用すると、調理液が垂れず、全体を覆うため、衛生面も向上させることができ顧客は手を汚さずに取れ、持ち運びが安易になるのである。
図２の簡単な説明をすると、容器Ａ（４）に扉（１２）を設け、穴（２）を設け、かぎ部（１１）を設け、凸部（１０）を設け、容器Ｂ（７）に穴（２）を設け、切れ目（１５）を設け、凸部（１０）を設ける。
図３の簡単な説明をすると、容器Ａ（４）にカバー部（１３）を設け、凹部（１４）を設け，容器Ｂ（７）に切れ目（１５）を設け、穴（２）を設け、底部（１６）を設け、取っ手（９）を設ける。
図４の簡単な説明をすると、容器Ａ（４）容器Ｂ（７）にねじ部（１７）を設け、容器Ａ（４）に止め部（６）を設ける。
【符号の説明】
【０００９】１      可動式の止め具
２      穴
３      串
４      容器Ａ
５      凸凹部
６      止め部
７      容器Ｂ
８      凸凹部
９      取っ手
１０    凸部
１１    かぎ部
１２    扉
１３    カバー部
１４    凹部
１５    切れ目
１６    底部
１７    ねじ部
【図１】
2011245247.tif 000003
【図２】
2011245247.tif 000004
【図３】
2011245247.tif 000005
【図４】
2011245247.tif 000006
(57)【要約】【課題】従来の電動丸のこ定規は電動丸のこ底板に突き出た形態でガイドの役割をしているが定規不用時には定規本体を取り外したり付けたり作業時間の無駄になる【解決手段】この発明は従来固定であるガイド部を回転させ上部に上げ丸のこ本体底板に突起物をなくし定規を付けたまま他の作業が出来る【選択図】図１
2011245837.tif 000002
【特許請求の範囲】
【請求項１】
電動丸のこ定規のガイド部の回転部分
【発明の詳細な説明】
【技術分野】
【０００１】この発明は、電動丸のこ用定規の型状に関する。
【背景技術】
【０００２】従来の電動丸のこ用定規はガイド部は固定である
【先行技術文献】
【特許文献】
【０００３】
【非特許文献】
【０００４】
【発明の概要】
【発明が解決しようとする課題】
【０００５】しかしながら、以上の技術によれば、ガイド部が固定の為不必要時定規本体を外さなければならない。そこで、この発明は電動丸のこ定規を電動丸のこに取りつけたまま作業が出来る。
【課題を解決するための手段】
【０００６】課題を解決するために、第一発明は、定規のガイド部を回転させ上部に移動出来るようにした
また、第二発明は、ガイドを伸縮させることにより細密な仕事が出来る
【発明の効果】
【０００７】定規不用時電動丸のこ本体から外さずに他の作業が出来る
【図面の簡単な説明】
【０００８】
【図１】電動丸のこ定規の斜視図
【図２】電動丸のこ本体に定規の装着図
【図１】
2011245837.tif 000003
【図２】
2011245837.tif 000004